(57)【要約】　　【課題】　この発明は、撮像空間の天井部に配置した複数の天井ストロボ照明ボックスで照明することで被写体を細部まで十分照明し、例えば専用器具を使用したスタジオ撮影と同等の照明効果による美しい撮像画像を得ることを目的とする。　　【解決手段】　１以上の被写体を照明手段で照明しボックス状の撮像空間の前面に備えた撮像手段で撮像して撮像画像を作成する撮像処理を許容し、編集対象の画像に対して編集手段で編集して編集画像を作成する編集処理を許容し、所定の画像を出力画像として出力手段で出力する写真シール自動販売方法またはその装置に対して、前記照明手段を、上から斜め後方に向かって被写体を照射するよう水平より前面側に向かって少し前のめりになるように傾けて前記撮像空間の天井部に配置した複数の天井ストロボ照明ボックスで構成し、該複数の天井ストロボ照明ボックスによって撮像と同期して被写体を照明すべく形成した。　【選択図】　　図１１
2004102300.tif 000002
【特許請求の範囲】
【請求項１】
　１以上の被写体を照明手段で照明しボックス状の撮像空間の前面に備えた撮像手段で撮像して撮像画像を作成する撮像処理を許容し、
編集対象の画像に対して編集手段で編集して編集画像を作成する編集処理を許容し、
所定の画像を出力画像として出力手段で出力する写真シール自動販売方法であって、
前記照明手段を上から斜め後方に向かって被写体を照射するよう水平より前面側に向かって少し前のめりになるように傾けて前記撮像空間の天井部に配置した複数の天井ストロボ照明ボックスで構成し、
該複数の天井ストロボ照明ボックスによって撮像と同期して被写体を照明する
写真シール自動販売方法。
【請求項２】
　前記複数の天井ストロボ照明ボックスの後方側の設置数を、前面側よりも増加して配置し、撮像と同期して被写体を照明する
請求項１に記載の写真シール自動販売方法。
【請求項３】
　前記複数の天井ストロボ照明ボックスのうち、後方側の天井ストロボ照明ボックスの光量を前面側よりも強く設定し、撮像と同期して被写体を照明する
請求項１又は２に記載の写真シール自動販売方法。
【請求項４】
　前記複数の天井ストロボ照明ボックスの位置を可動させ、撮像と同期して被写体を照明する
請求項１から３のいずれか１つに記載の写真シール自動販売方法。
【請求項５】
　１以上の被写体を照明手段で照明しボックス状の撮像空間の前面に備えた撮像手段で撮像して撮像画像を作成する撮像処理を許容し、
編集対象の画像に対して編集手段で編集して編集画像を作成する編集処理を許容し、
所定の画像を出力画像として出力手段で出力する写真シール自動販売装置であって、
前記照明手段を上から斜め後方に向かって被写体を照射するよう水平より前面側に向かって少し前のめりになるように傾けて前記撮像空間の天井部に配置した複数の天井ストロボ照明ボックスで構成し、
該複数の天井ストロボ照明ボックスによって撮像と同期して被写体を照明するよう設定した
写真シール自動販売装置。
【請求項６】
　前記複数の天井ストロボ照明ボックスの後方側の設置数を、前面側よりも増加して配置した
請求項５に記載の写真シール自動販売装置。
【請求項７】
　前記複数の天井ストロボ照明ボックスのうち、後方側の天井ストロボ照明ボックスの光量を前面側よりも強く設定した
請求項５又は６に記載の写真シール自動販売装置。
【請求項８】
　前記複数の天井ストロボ照明ボックスの位置を可動に設けた
請求項５から７のいずれか１つに記載の写真シール自動販売装置。
【発明の詳細な説明】
【技術分野】
【０００１】
　この発明は、例えばゲームセンター等のアミューズメント施設、遊園地、テーマパーク、旅館、観光施設等の施設に設置され、被写体を照明してデジタルカメラ等のカメラで写真を撮像し、その画像をプリンタにてシール紙に印刷するような写真シール自動販売の方法及びその装置に関する。
【背景技術】
【０００２】
　従来、上述の写真シール自動販売装置には、照明装置として撮像と同期してストロボ発光するストロボ照明や蛍光灯等を利用している。前記ストロボ照明装置は、ボックス状の撮像空間の前面に備えられたカメラの近傍に備えられ、撮像時に被写体を前面から照明する。また、蛍光灯照明装置は床や天井等にも備えられ、写真シール自動販売装置を利用者に利用可能にしている間、常時撮像空間を照明している。
【発明の開示】
【発明が解決しようとする課題】
【０００３】
　上述のような写真シール自動販売装置は、ストロボ照明装置による前面からの照明では、蛍光灯照明装置に比較して光量は多いものの陰影が強調されてしまうという欠点と、頭髪の上部等が十分照明されず、細部がきれいに撮像できないという欠点があった。　
　また、蛍光灯照明装置では被写体を十分に照明しきれず、床や天井に備えても前記ストロボ照明装置の欠点を補う効果は少なかった。
【０００４】
　この発明は、撮像空間の前面を除く位置からも撮像と同期して照明することで被写体を細部まで十分照明し、その照明を略均一にすることで陰影を強調させずに被写体を光で包み込み、例えば専用器具を使用したスタジオ撮影と同等の照明効果による美しい撮像画像を得ることを目的とする。
【課題を解決するための手段】
【０００５】
　この発明は、１以上の被写体を照明手段で照明しボックス状の撮像空間の前面に備えた撮像手段で撮像して撮像画像を作成する撮像処理を許容し、編集対象の画像に対して編集手段で編集して編集画像を作成する編集処理を許容し、所定の画像を出力画像として出力手段で出力する写真シール自動販売方法であって、前記照明手段を上から斜め後方に向かって被写体を照射するよう水平より前面側に向かって少し前のめりになるように傾けて前記撮像空間の天井部に配置した複数の天井ストロボ照明ボックスで構成し、該複数の天井ストロボ照明ボックスによって撮像と同期して被写体を照明する写真シール自動販売方法又はその装置であることを特徴とする。
【０００６】
　前記撮像手段は、デジタルカメラ又はデジタルビデオカメラで構成することができる。　
　前記編集対象の画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像を含む。
【０００７】
　前記所定の画像は、前記撮像画像、前記デジタル画像、前記スキャニング画像、及び／又はこれらの画像を編集手段で編集した編集画像であることを含む。　
　前記出力手段は、モノトーンプリンタ、セピア(sepia)トーンプリンタ又はカラープリンタ等画像を印刷する印刷手段、画像データを送信する通信手段、又は画像データを記憶媒体に書き込む記憶媒体リーダ／ライタであることを含む。
【０００８】
　前記構成により、被写体がどの位置にいても、天井から照明して毛髪等の被写体の上面部分を照明することができる撮像空間の天井面を天井ストロボ照明ボックス１６ａで覆って照明する場合と同様に、撮像空間全体を上から照明することができる。また、図１１に示す被写体Ｍに斜線で表すように、複数人の被写体Ｍが存在する場合であっても、それぞれを十分照明することができ、正面からの照明では光が届かず陰になるような部分も照明できる。
【０００９】
　また、天井ストロボ照明ボックスを、前記照明手段を上から斜め後方に向かって被写体を照射するよう水平より前面側に向かって少し前のめりになるように傾けて前記撮像空間の天井部に配置したことにより、被写体の上部前方側や側部前方側等の部分を照明することができ、撮像手段で撮像され得る部分であって正面からの照明では光が届かない部分に対して、十分照明することができる。
【００１０】
　好ましい実施の形態として、前記複数の天井ストロボ照明ボックスの後方側の設置数を、前面側よりも増加して配置し、撮像と同期して被写体を照明することができる。　
　これにより、正面ストロボ照明ボックス１６ｂの照明光があまり届かない後方の被写体Ｍを十分照明することができる。
【００１１】
　好ましい実施の形態として、前記複数の天井ストロボ照明ボックスのうち、後方側の天井ストロボ照明ボックスの光量を前面側よりも強く設定し、撮像と同期して被写体を照明することができる。　
　これにより、上記同様、正面ストロボ照明ボックス１６ｂの照明光があまり届かない後方の被写体Ｍを十分照明することができる。
【００１２】
　好ましい実施の形態として、前記複数の天井ストロボ照明ボックスの位置を可動させ、撮像と同期して被写体を照明することができる。　
　この場合、前記小型ストロボ照明ボックス１６ｃは、内部に備えた雌ネジ部分に挿入した雄ネジ型のシャフトＳを正逆転するパルスモータＰで回転させることで、断面がＬ字型のガイドフレームＳに沿って前後に可動する。　
　これにより、被写体Ｍの位置に合わせて、照明の必要な部分を十分照明することができる。
【発明の効果】
【００１３】
　この発明により、被写体がどの位置にいても、天井から照明して毛髪等の被写体の上面部分を照明することができる撮像空間の天井面を天井ストロボ照明ボックス１６ａで覆って照明する場合と同様に、撮像空間全体を上から照明することができる。また、図１１に示す被写体Ｍに斜線で表すように、複数人の被写体Ｍが存在する場合であっても、それぞれを十分照明することができ、正面からの照明では光が届かず陰になるような部分も照明できる。
【００１４】
　また、天井ストロボ照明ボックスを、前記照明手段を上から斜め後方に向かって被写体を照射するよう水平より前面側に向かって少し前のめりになるように傾けて前記撮像空間の天井部に配置したことにより、被写体の上部前方側や側部前方側等の部分を照明することができ、撮像手段で撮像され得る部分であって正面からの照明では光が届かない部分に対して、十分照明することができる。
【００１５】
　さらに、前記複数の天井ストロボ照明ボックスの後方側の設置数を、前面側よりも増加して配置し、撮像と同期して被写体を照明することで、正面ストロボ照明ボックス１６ｂの照明光があまり届かない後方の被写体Ｍを十分照明することができる。
【００１６】
　さらに、前記複数の天井ストロボ照明ボックスのうち、後方側の天井ストロボ照明ボックスの光量を前面側よりも強く設定し、撮像と同期して被写体を照明することで、上記同様、正面ストロボ照明ボックス１６ｂの照明光があまり届かない後方の被写体Ｍを十分照明することができる。
【００１７】
　さらに加えて、前記複数の天井ストロボ照明ボックスの位置を可動させ、撮像と同期して被写体を照明することで、被写体Ｍの位置に合わせて、照明の必要な部分を十分照明することができる。
【００１８】
　以上の効果により、利用者は美しい撮像結果を反映して印刷した写真シールシートを得ることができ、顧客満足度の向上を図ることができる。また、美しく撮像できる写真シール自動販売機に対して人気が高まっているため、写真シール自動販売機を設置する施設の経営者は、利用者増加と売上増加を見込むことができる。
【発明を実施するための最良の形態】
【００１９】
　この発明の一実施形態を、以下図面と共に説明する。　
　まず、図１に示す写真シール自動販売機１の外観を表した斜視図と共に、写真シール自動販売機１の構成について説明する。
【００２０】
　写真シール自動販売機１はボックス状の枠で囲まれた撮像空間を備え、その一側面には筐体２が設置される。　
　筐体２の正面上部には、中央にデジタルカメラ１７を備え、該デジタルカメラ１７は撮像方向を水平よりわずかに下向けに形成して撮像方向を上下に変更可能に設ける。その周辺には、該デジタルカメラ１７を左右及び上部から囲むようにして半透明部材からなる３つの拡散板１６２を備える。
【００２１】
　前記筐体２の上部は内部を空洞に形成し、前記拡散板１６２以外の内側面は白色に塗装して反射面１６３を形成する。その空洞内の中央部には、ストロボ発光する３つのストロボ照明装置１６１を拡散板１６２に背を向けて３つ備えており、１つは図２の縦断面図に示すように照明方向を少し上向きに設け、その下に図３の横断面図（平面図）に示すように照明方向を左右外開きに２つ並設する。これらのストロボ照明装置１６１、拡散板１６２及び反射面１６３で、被写体を正面から照明する正面ストロボ照明ボックス１６ｂを構成する。　
　デジタルカメラ１７の左右に設けた前記拡散板１６２は、図３に示すように板面を正面より内側へ向かってわずかに傾斜させ、デジタルカメラ１７の上部に設けた拡散板１６２は、図２に示すように前面側が低くなるようにわずかに傾斜させることで、これらの各板面が被写体に対向するように形成されている。
【００２２】
　筐体２の正面中央には、図１に示すように画像を表示するディスプレイ１８を備え、該ディスプレイ１８にはタッチパネル１４ｂを重ねて設け、タッチペン１４ａによって落書き等をペンタッチ入力する入力装置を備える。　
　筐体２の正面下部には、貨幣（例えば硬貨）を投入する投入口１５ａを備え、その右側側面に写真シールシート５ｃを排出する写真シール排出口１９ａを備える。
【００２３】
　筐体２の内部左側には、図４の部分拡大図（一部断面図）に示すように、前記写真シール排出口１９ａの近傍にプリンタ１９を備える。　
　該プリンタ１９には、シール紙ユニット５をセットしており、該シール紙ユニット５はロール状に巻いたシール紙５ａと正規品か否かを識別させる識別データ等のデータを記憶させたＩＤタグ５ｂで構成する。
【００２４】
　前記プリンタ１９の背部にはＩＤタグリーダ／ライタ２０を備え付けており、前記ＩＤタグ５ｂに記憶の前記データを読取る。　
　なお、前記ＩＤタグ５ｂとシール紙５ａは一体に形成し分離不可にしているが、別体に形成し例えばシール紙５ａはプリンタ１９に、ＩＤタグ５ｂはＩＤタグリーダ／ライタ２０にそれぞれセットするように構成しても良い。
【００２５】
　写真シール自動販売機１の枠部の天井部には、図１に示すように、撮像空間の天井面を全面的に覆うように、平面視四角形で側面視及び正面視台形の天井ストロボ照明ボックス１６ａを備える。該天井ストロボ照明ボックス１６ａは、底面に光を拡散させる拡散板１６２を設け、他の面の内面を白色に塗装して反射面１６３を形成する。前記天井ストロボ照明ボックス１６ａの内部には、図２の縦断面図に示すようにストロボ球が発光するストロボ照明装置１６１を照明方向が筐体２に向かって水平より上向きになるように備え、その反射光により被写体を上から照明する。この天井ストロボ照明ボックス１６ａは、前記拡散板１６２が水平より筐体２側に向かって少し前のめりになるように傾けて備える。
【００２６】
　前述の照明手段の構成により、前記ストロボ照明装置１６１からの光は、ストロボ照明ボックス１６（天井ストロボ照明ボックス１６ａ，正面ストロボ照明ボックス１６ｂ）の内部で反射面１６３によって様々な方向に反射し、その反射光が拡散板１６２で拡散され、図２及び図３の仮想線に示すように、上から斜め後方へ向かって略均一に被写体を照射する。
【００２７】
　次に図５に示す写真シール自動販売機１の制御回路ブロック図と共に、写真シール自動販売機１の構造について説明する。　
　制御処理を実行する制御部１０（図２）は筐体２の内部に設けられ、該制御部１０は、ＣＰＵ１２、ＲＯＭ１１、ＲＡＭ１３にて形成し、ＣＰＵ１２はＲＯＭ１１に格納されているプログラムを読み込んで制御処理を実行し、ＲＡＭ１３に処理用データの読書きを行う。この実施の形態では、被写体である利用者をデジタルカメラ１７で撮像するシャッタのタイミングと同期をとってストロボ照明装置１６１を発光させる制御処理も行う。
【００２８】
　入力装置１４は、前述したようにディスプレイ１８に重ねて設けられたタッチパネル１４ｂとタッチペン１４ａとにより形成され、利用者にタッチペン１４ａで操作された内容に該当する信号を入力信号としてＣＰＵ１２に送信する。　
　貨幣処理装置１５は、前述の投入口１５ａの内部に設けられ、投入された貨幣（例えば硬貨）の真偽判別、金種判別を行い、投入金額を処理信号としてＣＰＵ１２に送信する。
【００２９】
　ストロボ照明装置１６１は、前述のストロボ照明ボックス１６の各内部に収納され、それぞれＣＰＵ１２からの照明制御信号に従ってストロボ発光を実行し、その光を反射面１６３で反射させてさらに拡散板１６２で拡散させ、被写体を略均一に照明する。
【００３０】
　デジタルカメラ１７は、ＣＰＵ１２よりシャッタ信号を受取り、動画データや静止画データといった画像データをＣＰＵ１２に送信する。　
　ディスプレイ１８は、ＣＰＵ１２より画像信号を受信し、該信号に従って画像を表示する。　
　プリンタ１９は、ＣＰＵ１２よりプリント画像データを受信し、シール紙５ａに該プリント画像を印刷した写真シールシート５ｃ（図４）を排出する。　
　ＩＤタグリーダ／ライタ２０は、シール紙ユニット５に備えたＩＤタグ５ｂに記憶されているデータを読出信号で読取り、更新信号で前記データの更新を実行する。これによって、ＣＰＵ１２はシール紙ユニット５が正規のものであるか否かを判定し、必要に応じて印刷回数であるカウント数を上書きする等の更新処理を実行する。
【００３１】
　スピーカ２１は、ＣＰＵ１２より音声信号を受取り、該信号に従って音声を鳴らす。
【００３２】
　以上の構造により、ＣＰＵ１２はストロボ照明装置１６１に照明制御信号を送信し、デジタルカメラ１７と同期をとって照明動作を実行し、前記ストロボ照明装置１６１を収納したストロボ照明ボックス１６で被写体を略均一に照明する。
【００３３】
　次に図６に示す処理フロー図と共に写真シール自動販売機１の動作について説明する。　
　利用者に貨幣（例えば硬貨）を投入口１５ａ（図１）に投入されると、貨幣処理装置１５（図５）は真偽判定、金種判定を実行し、ＣＰＵ１２に処理信号を送信して処理開始となる。
【００３４】
　前記処理開始を受けて、ＣＰＵ１２はデジタルカメラ１７で撮影している映像をディスプレイ１８に動画表示し、同時に撮影開始ボタンをディスプレイ１８に表示して、利用者にタッチパネル１４ｂの前記撮影開始ボタンの位置をタッチペン１４ａでタッチされるのを待つ（ステップｎ１）。
【００３５】
　利用者が前記撮影開始ボタンをタッチペン１４ａでタッチすると、ＣＰＵ１２はスピーカ２１に音声信号を送信して音声によるカウントダウンを開始する。そのカウントダウンの終了と共に、デジタルカメラ１７のシャッタと同期を取ってストロボ照明装置１６１を発光させ、反射面１６３で反射して拡散板１６２で拡散された略均一の均一光で照明された被写体を、デジタルカメラ１７で静止画像撮像する。
【００３６】
　この間ＣＰＵ１２は経過時間を管理しており、制限時間（例えば６０秒）が経過すれば強制的にステップｎ４に進む（ステップｎ２）。このとき、撮像画像が存在していればそれを撮像画像として強制的に採用し、まだ１枚も撮像されていない場合には強制的に撮像を実行してその撮像画像を採用してもよい。　
　なお、前記制限時間は、撮像画像が決定されるまでの間、ＣＰＵ１２によってディスプレイ１８にカウントダウンして表示させる。
【００３７】
　撮像終了時に制限時間が経過していなければ、ＣＰＵ１２はディスプレイ１８に前記撮像画像を静止画表示し、同時にキープボタンと撮り直しボタンを表示する。利用者に撮り直しボタンをタッチされた場合はステップｎ１に戻る。キープボタンをタッチされた場合は、ＣＰＵ１２はステップｎ１からステップｎ３までの一連の工程Ａで経過した時間（例えば４０秒）を前記制限時間から減算し、算出された残時間（この場合は２０秒）をＲＡＭ１３に記憶させて次のステップに進む（ステップｎ３）。
【００３８】
　ＣＰＵ１２はディスプレイ１８にＲＧＢ信号を送信して前記撮像画像を表示させ、ＲＯＭ１２に記憶させている工程Ａでの残時間（この場合は２０秒）をこれから実行する工程Ｂの制限時間（例えば６０秒）に加算して、制限時間を増加（この場合は８０秒）させる（ステップｎ４）。このとき同時にディスプレイ１８には次撮影ボタンと印刷ボタンを表示させ、利用者はタッチペン１４ａにて落書き画像に落書きを開始する。
【００３９】
　ＣＰＵ１２は工程Ｂの経過時間を管理し、前記加算した制限時間内（この場合は８０秒）であれば次のステップに進み、制限時間が経過すればステップｎ７に強制的に進む（ステップｎ５）。　
　ＣＰＵ１２は、利用者が落書き中であれば、ステップｎ５に戻り、落書きが終了すれば次のステップに進む（ステップｎ６）。
【００４０】
　利用者に印刷ボタンをタッチペン１４ａでタッチされると、ステップｎ１４へ一気に進む。次撮影ボタンをタッチされた場合には、ＣＰＵ１２はステップｎ４からステップｎ７までの工程Ｂでの経過時間（例えば５０秒）を制限時間（この場合は８０秒）から減算し、算出された残時間（この場合は３０秒）をＲＡＭ１３に記憶させて次のステップに進む（ステップｎ７）。　
　なお、この次撮影ボタンをタッチされるまでの間、ＣＰＵ１２は工程Ｂの制限時間（この場合は８０秒）をディスプレイ１８に表示させている制限時間表示部にカウントダウンして表示させる。
【００４１】
　次の工程Ｃはステップｎ８からステップｎ１０の３つのステップからなり、前記工程Ａと同じ動作で撮像処理を行う。ただしこのときは、工程Ｃの最初のステップｎ８でＣＰＵ１２は前記工程Ｂでの残時間（この場合は３０秒）を制限時間（６０秒）に加算して制限時間を増加（この場合は９０秒）して処理を行う（ステップｎ８からｎ１０）。
【００４２】
　次の工程Ｄはステップｎ１１からステップｎ１２の３つのステップからなり、前記工程Ｂのステップｎ４からステップｎ６の３つのステップと同じ動作を行う。前記工程Ｃで例えば４０秒使用したとすると、残りの５０秒が工程Ｄに与えられている制限時間、例えば６０秒に加算され、利用者は１１０秒の間落書きを行うことができる（ステップｎ１１からｎ１３）。なお、この工程Ｄでの落書きにおいては、ＣＰＵ１２はサムネイル画像として工程Ｂでの落書き画像と工程Ｄでの落書き画像を縮小表示させ、利用者にタッチペン１４ａでタッチされることで落書き画像を選択された落書き画像に入れ替える。これにより、利用者は工程Ｄで時間が余れば、工程Ａでの落書きの続きを行うことができる。
【００４３】
　次のステップでは、ＣＰＵ１２はディスプレイ１８にＲＧＢ信号を送信して後述するシール分割・配置選択処理を実行する（ステップｎ１４）。
【００４４】
　前記シール分割・配置選択処理が終了すると、ＣＰＵ１２は選択された分割数及び配置に従って落書き画像を配置した写真シールシート５ｃをプリンタ１９に印刷させ、写真シール排出口１９ａから排出させる（ステップｎ１５）。
【００４５】
　ここで前記シール分割・配置選択処理について、図７に示す処理フロー図と共に説明すると、ＣＰＵ１２は、まず図８の画面イメージ説明図の（Ａ）に示す分割数選択画面をディスプレイ１８に表示させる（ステップｓ１）。該分割数選択画面には分割数選択ボタン３０を６つ表示し、それぞれに２人用均等、２人用混合、３人用均等、３人用混合、多人数均等、多人数混合を選択する機能を割り当てる。利用者は、例えば１０秒に設定された制限時間内で前記分割数選択ボタン３０の１つ（例えば２人用混合）をタッチペン１４ａでタッチする（ステップｓ２）。前記制限時間内に前記分割数選択ボタン３０の１つがタッチされなければ、例えば２人用均等を選択されたと強制的に決定して次のステップに進む（ステップｓ３）。
【００４６】
　なお、前記分割数選択ボタン３０のうち、混合と表示された３つのボタンは印刷サイズの異なる落書き画像を混合させて印刷する場合に選択し、均等と表示された３つのボタンは印刷サイズを均等に配置した落書き画像を印刷する場合に選択する。
【００４７】
　ＣＰＵ１２は前述のタッチによる入力信号を受けてその選択をＲＯＭ１１に記憶させ（ステップｓ４）、ディスプレイ１８に図８の（Ｂ）に示す配置選択画面を表示させる（ステップｓ５）。該配置選択画面には印刷画像表示部３５を表示し、前述の分割数の選択（この場合は２人用であるので２分割）に対応して、上部印刷画像表示部３５ａと下部印刷画像表示部３５ｂに中央で上下に横点線にて分割する。　
　該印刷画像表示部３５の右側には、前記横点線の上下に分けて配置選択部を表示する。該配置選択部は、前記横点線の上側には上部印刷画像表示部３５ａ内の落書き画像の配置を選択するための進むボタン３２ａ、戻るボタン３１ａ、最初の表示ボタン３３ａを表示し、下側には下部印刷画像表示部３５ｂ内の落書き画像の配置を選択するための進むボタン３２ｂ、戻るボタン３１ｂ、最初の表示ボタン３３ｂを表示する。なお、図８の前記印刷画像表示部３５を左右に分割している縦点線は、左側に１回目の撮像による落書き画像、右側に２回目の撮像による落書き画像を分けて表示していることを示す補助線である。
【００４８】
　利用者甲は、選択用ボタンである進むボタン３２ａ、戻るボタン３１ａ、最初の表示ボタン３３ａをタッチして自分の欲しい枚数、大きさに配置された上部印刷画像表示部３５ａ内の落書き画像の配置を選択し、利用者乙は同様に進むボタン３２ｂ、戻るボタン３１ｂ、最初の表示ボタン３３ｂをタッチして自分の欲しい枚数、大きさに配置された下部印刷画像表示部３５ｂ内の落書き画像の配置を選択する（ステップｓ６）。
【００４９】
　利用者が例えば３０秒に設定された制限時間内で前記選択を終了して印刷ボタン３４をタッチすると次のステップである図６に示したステップｎ１５に進み（ステップｓ７）、前記印刷ボタン３４をタッチされなくても前記制限時間が経過すれば強制的に図６に示したステップｎ１５に進む（ステップｓ８）。
【００５０】
　以上の動作により、利用者はストロボ照明ボックス１６によって略均一に細部まで照明されて撮像することができ、特に図９の撮像画像に対する照明効果の説明図の（ａ）に示すように頭髪の質感を明瞭に撮像することができるため、図中の（ｂ）に示す従来の撮像での頭髪の質感と比較して利用者に与える満足度の向上は顕著であり、その満足度の高い撮像画像に対して落書き編集をした編集画像を印刷した写真シールシート５ｃを得ることができる。
【００５１】
　第２の実施例として、上述の写真シール自動販売機１は、図１０の斜視図に示すように形成することもできる。すなわちボックス状の枠部上部を拡散板１６２の傾きに合わせて一部傾斜させて形成し、拡散板１６２を除く天井部を適宜の板材で覆うことができる。
【００５２】
　この実施例によれば、撮像空間の天井部と天井ストロボ照明ボックス１６ａの底面（つまり拡散板１６２）が密着しているため、該天井ストロボ照明ボックス１６ａの照明光が撮像空間の外に洩れず、効率よく被写体を照明することができる。
【００５３】
　この実施例においても、写真シール自動販売機１の構造及び動作は前述の実施例と同じであるので、同一機能を有するものには同一符号を付して詳細な説明を省略する。
【００５４】
　なお、上述の２つの実施例では撮像空間の天井に１つの大きな天井ストロボ照明ボックス１６ａを設けたが、第３の実施例として図１１の左側面から見た縦断面図に示すように、小型に形成した小型ストロボ照明ボックス１６ｃを複数設けても良い。これにより、撮像空間の天井面を天井ストロボ照明ボックス１６ａで覆って照明する場合と同様に撮像空間全体を上から照明することができる。また、図１１に示す被写体Ｍに斜線で表すように、複数人の被写体Ｍが存在する場合であっても、それぞれを十分照明することができ、正面からの照明では光が届かず陰になるような部分も照明できる。
【００５５】
　また第４の実施例として、前記小型ストロボ照明ボックス１６ｃは、図１２の横断面図に示すように、撮像空間の後方側の設置数を増加させても良い。これにより、正面ストロボ照明ボックス１６ｂの照明光があまり届かない後方の被写体Ｍを十分照明することができる。　
　また、図１２と共に説明したように小型ストロボ照明ボックス１６ｃの数を変化させる代わりに、小型ストロボ照明ボックス１６ｃは一律に配置して後方の小型ストロボ照明ボックス１６ｃの光量を強く設定しても良い。
【００５６】
　また第５の実施例として、図１３の左側面から見た縦断面図に示すように、天井ストロボ照明ボックス１６ａを水平に設置し、該天井ストロボ照明ボックス１６ａの拡散板１６２を側面視のこぎり型に形成しても良い。これにより照明光は真下よりも少し後方へ向かい、前述の実施例で天井ストロボ照明ボックス１６ａを前方へ傾けたのと同様の効果を得ることができ、前後に並んだ被写体の後方の被写体をも照明することができる。加えて、天井ストロボ照明ボックス１６ａを傾ける必要がないため、該天井ストロボ照明ボックス１６ａの組立時の構造が簡略化される。
【００５７】
　また第６の実施例として、前記ストロボ照明ボックス１６は、側面や背面、床面等に設けても良い。例えば側面に設けた場合であれば、図１４の横断面図に示すように、被写体Ｍを側面斜め前から照明することができ、正面からの照明では影になりやすい被写体Ｍの側部等を十分照明することができる。
【００５８】
　また第７の実施例として、図１５の左側面から見た縦断面図に示すように、前記小型ストロボ照明ボックス１６ｃを可動するように形成しても良い。この場合、前記小型ストロボ照明ボックス１６ｃは、内部に備えた雌ネジ部分に挿入した雄ネジ型のシャフトＳを正逆転するパルスモータＰで回転させることで、断面がＬ字型のガイドフレームＳに沿って前後に可動する。　
　これにより、被写体Ｍの位置に合わせて、照明の必要な部分を十分照明することができる。
【００５９】
　また、前記小型ストロボ照明ボックス１６ｃは、拡散板１６２及び反射面１６３を備えず、ストロボ照明装置１６１で直接被写体Ｍを照明するように形成しても良い。通常ストロボ照明はコントラストが強調されやすいため、拡散板１６２及び反射面１６３を備えて被写体Ｍをソフトに照明するように形成したが、複数のストロボ照明装置１６１で照明すれば、被写体Ｍをソフトに照明することができる。
【００６０】
　また、利用者が主に顔を撮影するアップ撮影と、主に全身を撮影する全身撮影のどちらを選ぶかによって、アップ撮影の時は光量を少なく、全身撮影のときは光量を多くして、撮影の照明光度のバランスを取るように設定しても良い。このとき、撮影パターン（例えばアップ撮影か前進撮影のどちらか等）によって照明光度のバランス等を変化させてもよいし、利用者が自分で照明光度のバランス等を調節できるように構成しても良い。
【００６１】
　また、前面と天井のストロボ照明装置１６１は、同時に発光させるだけでなくどちらか一方のみを発光させることもできるように、利用者が入力手段１４で選択できるように形成してもよい。これにより、例えば被写体を１側面から照明して照明側は明るくその反対側は影になるような照明効果を得ることができ、撮像に対する娯楽性を高めることができる。
【００６２】
　また、反射面１６３は光が反射すればよいので、白色の塗装に変えて銀色の塗装又は銀メッキ等にしてもよいし、素材を紙等の拡散効果の高いものにしてもよい。
【００６３】
　また、照明の光を略均一にする方法として、前述の実施例で説明した反射面１６３による光の反射、又は拡散板１６２による光の拡散のどちらか一方のみを使用しても良い。この場合は、被写体を略均一に照明する機能をある程度有した上でコストダウンを図ることができる。
【００６４】
　また、ストロボ照明装置１６１はデジタルカメラ１７からシンクロ信号を受信するように構成し、デジタルカメラ１７の撮像と同期をとって前記シンクロ信号に従って発光するように構成しても良い。
【００６５】
　また、第１の実施例で図７と共に説明したシール分割・配置選択処理について詳述すると、図７に示したサブルーチンにおいて、ステップｓ２で前記分割数選択ボタン３０にて例えば３人用均等が選択された場合は、ステップｓ５で図１６の（Ｃ）に示す配置選択画面を表示させると良い。この場合は３人用であるので、印刷画像表示部３５は上部印刷画像表示部３５ｃ、中部印刷画像表示部３５ｄ、下部印刷画像表示部３５ｅの３つに均等に分割され、上部には進むボタン３２ｃ、戻るボタン３１ｃ、最初の表示ボタン３３ｃ、中部には進むボタン３２ｄ、戻るボタン３１ｄ、最初の表示ボタン３３ｄ、下部には進むボタン３２ｅ、戻るボタン３１ｅ、最初の表示ボタン３３ｅがそれぞれ対応している。これにより、ハサミ等で３つに容易に分割できる写真シールシート５ｃを得ることができる。
【００６６】
　また、そのサブルーチンにおいて、ステップｓ２で前記分割数選択ボタン３０にて例えば多人数混合を選択した場合には、ステップｓ５で図１６の（Ｄ）に示す配置選択画面を表示させると良い。この場合は横点線による分割はなく縦点線による分割のみであり、印刷画像表示部３５の右側に表示した進むボタン３２ｆ、戻るボタン３１ｆ、最初の表示ボタン３３ｆで全体の配置を選択する。利用者は、１回目の撮像による落書き画像と２回目の撮像により落書き画像を縦点線で縦に分割した後、それぞれを分配することができる。
【００６７】
　これにより、利用者は撮像画像に落書き編集を行った落書き画像（落書き編集してない場合は撮像画像）を容易に分割できるように配置した写真シールシート５ｃを得ることができる。
【００６８】
　なお、図８の（Ｂ）、図１６の（Ｃ）及び（Ｄ）に示した縦点線を省き、例えば図８の（Ｂ）であれば、上部印刷画像表示部３５ａ及び下部印刷画像表示部３５ｂをそれぞれ一体にして、上部印刷画像表示部３５ａには１回目の落書き画像のみを配置し、下部印刷画像表示部３５ｂには１回目及び２回目の落書き画像を配置するような選択も可能に形成してもよい。これにより、利用者の選択できる自由度がさらに向上する。
【００６９】
　また、例えば図８の（Ｂ）で進むボタン３２ｂ、戻るボタン３１ｂ、最初の表示ボタン３３ｂを表示せず、進むボタン３２ａ、戻るボタン３１ａ、最初の表示ボタン３３ａを操作して横点線で分割して落書き画像が配置された印刷用画像を印刷画像表示部３５に表示するように形成してもよい。これにより、単純なインターフェースで利用者はハサミ等で容易に分割可能な写真シールシート５ｃを得ることができる。　
　また、前記印刷画像表示部３５は横点線で縦方向に分割したが、これにかぎらず横方向等に分割してもよい。
【００７０】
　また、図８の（Ａ）と共に説明した分割数の選択、図８の（Ｂ）及び図１６の（Ｃ），（Ｄ）と共に説明した印刷画像表示部３５への落書き画像の配置は、以下の各実施例のように構成することができる。
【００７１】
　第８の実施例として、第１の実施例で図８の（Ａ）と共に説明した分割数選択画面を、図１７に示す画面イメージ図のようにすることができる。　
　すなわち、図中の（Ｅ）に示すように、分割数選択ボタン３０として実際に分割線を表示したシール紙５ａのイメージを表示して、利用者に分割位置を選択させることができる。
【００７２】
　前記分割位置を選択後に次へボタン３７を利用者にタッチされると、次の配置選択画面（図８の（Ｂ））を表示する。なお、次へボタン３７を設けず、前記分割数選択ボタン３０をタッチすれば配置選択画面を表示するように構成してもよい。　
　本実施例によれば、分割位置が均等でなくても目でみて分割位置が確認できるためメンタルモデル的にわかりやすく、分割位置の選択の幅を広げることができる。
【００７３】
　第９の実施例として、第１の実施例で図８の（Ｂ）及び図１６の（Ｃ），（Ｄ）と共に説明した印刷画像表示部３５への落書き画像の配置の決定を、図１８の画面説明図に示すように、ドラッグ＆ドロップで行うことができる。すなわち、図中の（Ｆ）の画面イメージ図に示すように、利用者にタッチペン１４ａで落書き画像３６ａ，３６ｂのいずれかをタッチして選択させ、次に上部印刷画像表示部３５ａ又は下部印刷画像表示部３５ｂにタッチさせることで、サイズの異なる落書き画像３６（３６ａ，３６ｂ）を、上部印刷画像表示部３５ａ及び下部印刷画像表示部３５ｂに自由に配置することができる。
【００７４】
　このように配置して印刷した例として、図中の（Ｇ）に示すような写真シールシート５ｃを得ることができる。該写真シールシート５ｃには、ハサミ等で分割する位置が識別できるように、落書き画像３６と共に点線の分割線５ｄを印刷する。　
　本実施例によれば、利用者が任意の位置に任意の落書き画像３６を配置できるため、利用者が得られる配置のバリエーションが増加する。
【００７５】
　第１０の実施例として、落書き画像の配置の決定を、図１９の画面説明図に示すように落書き画像を配置するパターンを先に選択させて、その後に配置する落書き画像を選択させて決定することができる。
【００７６】
　すなわち、図中の（Ｈ）の画面イメージ図に示すように、利用者に進むボタン３２（３２ａ，３２ｂ）、戻るボタン３１（３１ａ，３１ｂ）、最初の表示ボタン３３（３３ａ，３３ｂ）で落書き画像を配置するパターンを選択させて該パターンを印刷画像表示部３５に表示し、利用者に落書き画像３６をタッチして選択させ、前記印刷画像表示部３５にタッチさせることで、タッチされた部分（例えばＡがタッチされれば６つのＡ全て）に前記落書き画像３６を配置する。
【００７７】
　図中の（Ｉ）は、前記印刷画像表示部３５に表示するパターンの例を示しており、例えば上部印刷画像表示部３５ａのＡには落書き画像３６ａ、Ｂには落書き画像３６ｃを配置し、下部印刷画像表示部３５ｂのＡには落書き画像３６ｂ、Ｂには落書き画像３６ｃを配置した場合であれば図中の（Ｊ）に示すような写真シールシート５ｃが得られる。
【００７８】
　以上の第８，第９及び第１０の実施例においても、他の構成・構造・動作は前述の第１の実施例と同様であるので、同一部分には同一符号を付して、詳細な説明を省略する。
【００７９】
　なお、分割線５ｄは、ハサミマークや矢印等の目印を印刷しても良いし、他の部分より余白部分を多くして分割位置が識別できるようにしても良いし、写真シールシート５ｃの台紙としてミシン目を入れたシール紙５ａを準備しておいても良い。
【００８０】
　また、図７のステップｓ１で行った分割数の選択は、図６のステップｎ１とステップｎ２の間で行うように設定しても良い。またこのとき、分割数を選択した後にＯＫか否かを選択させるように設定しても良い。　
　また、前述の入力装置１４は、タッチパネル１４ｂを人が指でタッチすることで入力を許容するタッチパネルで形成してもよい。
【００８１】
　また第１１の実施例として、図６と共に説明した写真シール自動販売機１の動作を示す処理フローの他の形態について、図２０に示す処理フロー図と共に説明する。　
　この実施例では、撮影工程である工程Ｅを２回繰り返し、編集工程である工程Ｆ，Ｇで２枚の撮影画像に落書きを行う場合について説明する。
【００８２】
　利用者に貨幣（例えば硬貨）を投入口１５ａ（図１）に投入されると、貨幣処理装置１５（図５）は真偽判定、金種判定を実行し、ＣＰＵ１２に処理信号を送信して処理開始となる。
【００８３】
　前記処理開始を受けて、ＣＰＵ１２はデジタルカメラ１７で撮影している映像をディスプレイ１８に動画表示し、同時に撮影開始ボタンをディスプレイ１８に表示して、利用者にタッチパネル１４ｂの前記撮影開始ボタンの位置をタッチペン１４ａでタッチされるのを待つ（ステップｕ１）。
【００８４】
　利用者が前記撮影開始ボタンをタッチペン１４ａでタッチすると、ＣＰＵ１２はスピーカ２０に音声信号を送信して音声によるカウントダウンを開始する。そのカウントダウンの終了と共にストロボ照明装置１６を発光させ、同時にデジタルカメラ１７で静止画像を撮影する。この間ＣＰＵ１２は経過時間を管理しており、制限時間（例えば６０秒）が経過すれば強制的にステップｕ５に進む（ステップｕ２）。このとき、撮影画像が存在していればそれを撮影画像として強制的に採用し、まだ１枚も撮影されていない場合には強制的に撮影を実行してその撮影画像を採用する。　
　なお、前記制限時間は、撮影画像が決定されるまでの間、ＣＰＵ１２によってディスプレイ１８にカウントダウンして表示させ、制限時間が残り少なくなると（例えば残り１０秒）、ＣＰＵ１２がスピーカ２０に音声信号を送信して利用者に警告する。
【００８５】
　撮影終了時に制限時間が経過していなければ、ＣＰＵ１２はディスプレイ１８に前記撮影画像を静止画表示し、同時にキープボタンと撮り直しボタンを表示する。利用者に撮り直しボタンをタッチされた場合はステップｕ１に戻る。キープボタンをタッチされた場合は、ＣＰＵ１２はステップｕ１からステップｕ３までの一連の工程Ｅで経過した時間（例えば５０秒）を前記制限時間から減算し、算出された残時間（この場合は１０秒）をＲＡＭ１３に記憶させて次のステップに進む（ステップｕ３）。
【００８６】
　ここで、キープされた撮影画像が１枚目であれば（つまり最後でなければ）、ステップｕ１に戻り、２枚目であれば（つまり最後であれば）、次のステップに進む（ステップｕ４）。
【００８７】
　このとき、ＣＰＵ１２はディスプレイ１８にＲＧＢ信号を送信して前記撮影画像を表示させ、ＲＯＭ１２に記憶させている工程Ｅでの残時間（この場合は１０秒）をこれから実行する工程Ｆの制限時間（例えば６０秒）に加算して、制限時間を増加（この場合は７０秒）させる。これと同時にディスプレイ１８には印刷ボタンと、第１の実施例の次撮影ボタンに変えて次落書きボタン（図示省略）を表示させる（ステップｕ５）。　
　利用者はタッチペン１４ａにて図２１の画面イメージ図に示すペン１８ａと消しゴムペン１８ｂで落書き画像１８ｃに落書きを行う。
【００８８】
　ＣＰＵ１２は工程Ｆの経過時間を管理し、前記加算した制限時間内（この場合は７０秒）であれば次のステップに進み、制限時間が経過すればステップｕ９に強制的に進む（ステップｕ６）。　
　ＣＰＵ１２は、利用者が落書き中であれば、ステップｕ６に処理を戻し、落書きが終了すれば次のステップに処理を進める（ステップｕ７）。
【００８９】
　利用者に印刷ボタンをタッチペン１４ａでタッチされると、ＳＰＵ１２はステップｕ１３へ一気に処理を進め、次落書きボタンをタッチされた場合には、ステップｕ５からステップｕ８までの工程Ｆでの経過時間（例えば５０秒）を制限時間（この場合は７０秒）から減算し、算出された残時間（この場合は２０秒）をＲＡＭ１３に記憶させて次のステップに処理を進める（ステップｕ８）。　
　なお、この次落書きボタンをタッチされるまでの間、ＣＰＵ１２は工程Ｆの制限時間（この場合は７０秒）をディスプレイ１８に表示させている制限時間表示部１８ｇ（図２１）にカウントダウンして表示させ、制限時間が残り少なくなると（例えば残り１０秒）、ＣＰＵ１２がスピーカ２０に音声信号を送信して利用者に警告する。
【００９０】
　次の工程Ｇはステップｕ９からステップｕ１２の４つのステップからなり、前記工程Ｆのステップｕ５からステップｕ８の４つのステップと同様の動作を行う。
【００９１】
　現在工程Ｅ，Ｆを経て２０秒の余り時間があるため、工程Ｇの制限時間は本来の６０秒に２０秒を加算され、利用者は８０秒の間落書きを行うことができる（ステップｕ９からｓ１２）。なお、この工程Ｇでは、工程Ｆでディスプレイ１８に表示されていた次落書きボタンを前落書きボタンに変更する（図示省略）。
【００９２】
　このとき、制限時間内（例えば５５秒）にステップｕ１２で利用者が前落書きボタンをタッチすると、ＣＰＵ１２は処理をステップｕ５に戻し、余り時間の間（つまり２５秒）１枚目の撮影画像に対する落書きを許容する。
【００９３】
　次のステップｕ１３では、ＣＰＵ１２はディスプレイ１８にＲＧＢ信号を送信してシール分割数及び配置（例えば１６分割均等配置など）を選択させる画面を表示させ、利用者にタッチペン１４ａでタッチして選択させる（ステップｕ１３）。
【００９４】
　前記選択がされると、ＣＰＵ１２は選択された分割数及び配置に従って落書き画像を配置した写真シールシート５ｃをプリンタ１９に印刷させ、写真シール排出口１９ａから排出させる（ステップｕ１４）。
【００９５】
　以上の動作により、撮影した２枚の撮影画像に対してそれぞれ制限時間を設定した編集工程で落書きを行うため、意図しない落書き洩れを防止することができる。　
　図２０と共に説明したこの実施例においても、他の構成・構造は第１の実施例と同様であるので、詳細な説明を省略する。
【００９６】
　なお、以上の実施例において前記ステップｕ４での最後か否かの判断は、例えば印刷終了ボタンを表示して利用者にタッチさせることで、２枚に限らず複数枚キープ可能に設定しても良い。
【００９７】
　また、前記ステップｕ２で制限時間が経過したときに、ステップｕ４に進むように設定し、制限時間を設定した工程Ｅを複数回繰り返して実行することを可能に設定しても良い。　
　また、工程Ｅでの余り時間を次の工程Ｆに追加しない設定にしても良い。
【００９８】
　この発明の構成と、上述の実施形態との対応において、
この発明の写真シール自動販売装置は、実施形態の写真シール自動販売機１に対応し、
以下同様に、
識別体は、ＩＤタグ５ｂに対応し、
制御手段は、ＣＰＵ１２、ＲＯＭ１１及びＲＡＭ１３に対応し、
編集手段は、入力装置１４に対応し、
発光体は、ストロボ照明装置１６１に対応し、
照明手段である天井ストロボ照明ボックスは、小型ストロボ照明ボックス１６ｃに対応し、
撮像手段は、デジタルカメラ１７に対応し、
出力手段は、プリンタ１９に対応し、
識別手段は、ＩＤタグリーダ／ライタ２０に対応するも、
この発明は、上述の実施形態の構成のみに限定されるものではない。
【図面の簡単な説明】
【００９９】
【図１】写真シール自動販売機の外観を示す斜視図。
【図２】写真シール自動販売機の内部を示す縦断面図。
【図３】写真シール自動販売機の内部を示す横断面図。
【図４】筐体の内部を示す部分拡大図（一部断面図）。
【図５】制御回路を示すブロック図。
【図６】撮影、編集及び印刷処理を示すフローチャート。
【図７】シール分割・配置選択処理を示すフローチャート。
【図８】シール分割・配置選択の画面イメージ説明図。
【図９】撮像画像に対する照明効果の説明図。
【図１０】他の実施例における写真シール自動販売機の外観を示す斜視図。
【図１１】他の実施例における写真シール自動販売機の内部を示す縦断面図。
【図１２】他の実施例における写真シール自動販売機の内部を示す横断面図。
【図１３】他の実施例における写真シール自動販売機の内部を示す縦断面図。
【図１４】他の実施例における写真シール自動販売機の内部を示す横断面図。
【図１５】他の実施例における写真シール自動販売機の内部を示す縦断面図。
【図１６】シール分割・配置選択の画面イメージ説明図。
【図１７】分割位置選択の画面イメージ図。
【図１８】配置操作及び仕上がりの写真シールシートを示す説明図。
【図１９】配置操作及び仕上がりの写真シールシートを示す説明図。
【図２０】他の実施例の撮影、編集及び印刷処理を示すフローチャート。
【図２１】落書き編集画面の画面イメージ図。
【符号の説明】
【０１００】
　　１…写真シール自動販売機
　　５…シール紙ユニット
　　５ａ…シール紙
　　５ｂ…ＩＤタグ
　　５ｃ…写真シールシート５ｃ
　　１０…制御部
　　１６…ストロボ照明ボックス
　　１６ａ…天井ストロボ照明ボックス
　　１６ｂ…正面ストロボ照明ボックス
　　１６ｃ…小型ストロボ照明ボックス
　　１７…デジタルカメラ
　　１９…プリンタ
　　２０…ＩＤタグリーダ／ライタ
　　１６１…ストロボ照明装置
　　１６２…拡散板
　　１６３…反射面
【図１】
2004102300.tif 000003
【図２】
2004102300.tif 000004
【図３】
2004102300.tif 000005
【図４】
2004102300.tif 000006
【図５】
2004102300.tif 000007
【図６】
2004102300.tif 000008
【図７】
2004102300.tif 000009
【図８】
2004102300.tif 000010
【図９】
2004102300.tif 000011
【図１０】
2004102300.tif 000012
【図１１】
2004102300.tif 000013
【図１２】
2004102300.tif 000014
【図１３】
2004102300.tif 000015
【図１４】
2004102300.tif 000016
【図１５】
2004102300.tif 000017
【図１６】
2004102300.tif 000018
【図１７】
2004102300.tif 000019
【図１８】
2004102300.tif 000020
【図１９】
2004102300.tif 000021
【図２０】
2004102300.tif 000022
【図２１】
2004102300.tif 000023